(57)【要約】【課題】内筒金具の軸方向の端面のセレーション部によって相手部材に対する滑止めを良好になし得、且つセレーション部の突起と突起との間の谷部と圧接部との間の隙間を通じて内筒金具の内部に水が浸入し、錆付きを生じる問題を良好に解決することのできる防振ゴムブッシュを提供する。【解決手段】内筒金具１８とその外周面に固着された本体ゴム２０とを有する防振ゴムブッシュ１０における内筒金具１８の軸方向の端面にセレーション部４８を設けるとともに、その突起４６と４６との間の谷部４９と圧接部３４との間に生ずる隙間にシールゴム５０を充填して隙間を水密にシールしておく。【選択図】        図１
2005337473.tif 000002
【特許請求の範囲】
【請求項１】
内筒金具と、該内筒金具の外周面に固着された本体ゴムとを有し、締結装置の軸体を該内筒金具に挿通させるとともに該内筒金具の軸方向の端面に相手部材の圧接部が圧接されて該圧接部により該内筒金具が軸方向に挟持される状態に該相手部材に組付固定される防振ゴムブッシュにおいて、
前記内筒金具の軸方向の端面に滑止め用の突起を周方向に沿って複数設けるとともに、それら突起と突起との間の谷部と前記圧接部との間に生ずる隙間にシールゴムを充填して該隙間を水密にシールしてあることを特徴とする防振ゴムブッシュ。
【請求項２】
請求項１において、前記滑止め用の突起が周方向に連続した鋸歯状をなすセレーション部の突起であることを特徴とする防振ゴムブッシュ。
【請求項３】
請求項１，２の何れかにおいて、前記シールゴムが前記内筒金具に一体に加硫接着してあることを特徴とする防振ゴムブッシュ。
【請求項４】
請求項１〜３の何れかにおいて、前記シールゴムと前記本体ゴムとが一体に成形してあることを特徴とする防振ゴムブッシュ。
【発明の詳細な説明】
【技術分野】
【０００１】
この発明は防振ゴムブッシュに関し、詳しくは内筒金具の軸方向の端面にセレーション部等の滑止め用の複数の突起を有するものに関する。
【背景技術】
【０００２】
従来より自動車のサスペンション装置その他において、内筒金具の外周面にゴム弾性体（本体ゴム）を固着した形態の防振ゴムブッシュが広く用いられている。
この防振ゴムブッシュは互いに連結される一対の部材間に介在して本体ゴムの弾性変形に基づいて振動吸収し、一方の部材から他方の部材への振動伝達を抑制する。
【０００３】
この防振ゴムブッシュは、通常、締結装置の軸体を内筒金具に挿通させ、また相手部材の圧接部を内筒金具の軸方向の端面に圧接させる状態にかかる相手部材に組付固定される。
詳しくはその軸体に設けた雄ねじ部とこれに螺合したナットとによる軸方向の締付力で、一対の圧接部を内筒金具の軸方向の両端面に圧接させて内筒金具を軸方向に挟持させる状態に相手部材に組付固定される。
この場合内筒金具の軸方向の端面が平滑であると、何らかの外力により内筒金具が軸方向の端面で圧接部に対し相対滑りを生ずる可能性がある。
【０００４】
そこで圧接部に対する内筒金具の相対滑りをより確実に防止するため、図４に示しているように防振ゴムブッシュ２００における内筒金具２０２の軸方向の端面に、周方向に連続した鋸歯状をなすセレーション部２０４を設けることが提案されている。
このように内筒金具の軸方向の端面にセレーション部若しくは他の形態の滑止め用の突起を設ける点については、例えば下記特許文献１，特許文献２，特許文献３にそれぞれ開示されている。
【０００５】
即ち特許文献１には、防振ゴムブッシュにおける取付用金具（内筒金具）の軸方向の端面にセレーション部を設けた点が開示されており、また特許文献２には同じく防振ゴムブッシュにおける内筒金具（シャフト）の軸方向の端面に、内筒金具の相対滑りを防止するための複数の凹部、つまり凹部と凹部との間の複数の突起を設けた点が開示されている。
更に特許文献３には、防振ゴムブッシュにおける内筒金具の軸方向の端面に同じくセレーション部を設けた点が開示されている。
これらのセレーション部或いは突起を内筒金具の軸方向の端面に設けた場合、それらの圧接部への食込作用によって内筒金具と圧接部との相対滑りをより確実に防ぐことができる。
【０００６】
ところでこのようなセレーション部を含む滑止め用の突起を内筒金具の軸方向の端面に設けた場合、突起と突起との間の谷部と圧接部との間に隙間が生じてしまい、その隙間から内筒金具の内部に水が浸入して錆付きを起し、締結装置の軸体と内筒金具とが固着してしまう恐れが生ずる。
【０００７】
本発明はこのような課題を解決することを目的としてなされたものである。
尚、下記特許文献４には内筒金具の軸方向端からその内部に水が浸入するのを防止するために、内筒金具の軸方向端を取り囲むようにして環状シールゴムを設けた点が開示されているが、この特許文献４に開示のものは内筒金具の軸方向の端面に設けた滑止め用の突起に起因する問題点を解決するものではなく、本発明とは異なるものである。
【０００８】
【特許文献１】特開平１１−２２７７０号公報
【特許文献２】特公平６−８６８９３号公報
【特許文献３】特開平１１−２８０８１３号公報
【特許文献４】特開２００２−８１５０２号公報
【発明の開示】
【発明が解決しようとする課題】
【０００９】
本発明はこのような事情を背景とし、内筒金具における軸方向の端面の滑止め用の突起によって相手部材に対する滑止めを良好になし得、且つ内筒金具の軸方向の端面の突起と突起との間の隙間を通じて内筒金具の内部に水が浸入し錆付きを生じる問題を良好に解決することのできる防振ゴムブッシュを提供することを目的としてなされたものである。
【課題を解決するための手段】
【００１０】
而して請求項１のものは、内筒金具と、該内筒金具の外周面に固着された本体ゴムとを有し、締結装置の軸体を該内筒金具に挿通させるとともに該内筒金具の軸方向の端面に相手部材の圧接部が圧接されて該圧接部により該内筒金具が軸方向に挟持される状態に該相手部材に組付固定される防振ゴムブッシュにおいて、前記内筒金具の軸方向の端面に滑止め用の突起を周方向に沿って複数設けるとともに、それら突起と突起との間の谷部と前記圧接部との間に生ずる隙間にシールゴムを充填して該隙間を水密にシールしてあることを特徴とする。
【００１１】
請求項２のものは、請求項１において、前記滑止め用の突起が周方向に連続した鋸歯状をなすセレーション部の突起であることを特徴とする。
【００１２】
請求項３のものは、請求項１，２の何れかにおいて、前記シールゴムが前記内筒金具に一体に加硫接着してあることを特徴とする。
【００１３】
請求項４のものは、請求項１〜３の何れかにおいて、前記シールゴムと前記本体ゴムとが一体に成形してあることを特徴とする。
【発明の作用・効果】
【００１４】
以上のように本発明は、内筒金具の軸方向の端面に滑止め用の突起を複数設けるとともに、それら突起と突起との間の谷部と圧接部との間に生ずる隙間にシールゴムを充填して隙間を水密にシールしたもので、本発明によれば、内筒金具の軸方向の端面に設けた滑止め用の突起を圧接部に食い込ませることによって内筒金具の圧接部に対する相対滑りを良好に防止することができる。
【００１５】
また突起を設けることによって生じた隙間がシールゴムにて閉鎖され水密にシールしてあるため、このような滑止め用の突起を内筒金具の軸方向の端面に設けた場合であっても、その突起に起因する隙間を通じて水が内筒金具の内部に浸入するのを良好に防止することができる。
従って内筒金具の内部に浸入した水によって内部で錆付きが発生し、これにより内筒金具と締結装置の軸体とが固着してしまう問題も良好に解決することができる。
【００１６】
本発明においては、内筒金具の軸方向の端面に周方向に連続した鋸歯状をなすセレーション部を設けて、上記滑止め用の突起を構成することができる（請求項２）。
このようにした場合、圧接部に対する内筒金具の相対滑りをより効果的に防止することができる。
【００１７】
また上記隙間を埋めるシールゴムは、内筒金具に対し一体に加硫接着しておくことが望ましい（請求項３）。
このようにしておけばシールゴムが内筒金具に強固に固定保持されるため、使用中にシールゴムが内筒金具から脱落して水の浸入を許すといったことを確実に防止することができる。
【００１８】
本発明ではまた、このシールゴムと内筒金具の外周面の本体ゴムとを一体に成形しておくことができる（請求項４）。
この場合シールゴムを本体ゴムと別体とした場合に比べて防振ゴムブッシュの製造工程を簡略化することができる。
【発明を実施するための最良の形態】
【００１９】
次に本発明の実施形態を図面に基づいて詳しく説明する。
図１において、１０は本実施形態の防振ゴムブッシュで、内筒金具１８と、その外周面に加硫接着にて一体に固着された本体ゴム２０と、本体ゴム２０の外周面に加硫接着により一体に固着された外筒金具１６とを有しており、その外筒金具１６の外周面においてサスペンションアームの円筒状の圧入部２１に軸方向に圧入されて、かかる外筒金具１６側がサスペンションアームに固定されている。
【００２０】
図１において、３４は防振ゴムブッシュ１０を組み付けるべき相手部材の一対の圧接部で、３０は締結装置である。
締結装置３０は軸体３２とナット４４及びリテーナ４５とを有している。
ここで軸体３２は、内筒金具１８に嵌合する大径部３６と先端側の雄ねじ部４０とを有している。
また圧接部３４は、中心部に軸体３２の挿通穴を有している。
【００２１】
この実施形態において、締結装置３０は大径部３６を防振ゴムブッシュ１０の内筒金具１８に嵌合させる状態に軸体３２を内筒金具１８に挿通し、そして内筒金具１８から突き出した雄ねじ部４０に対し圧接部３４及びリテーナ４５を介してナット４４を螺合し且つ締め込むことで、防振ゴムブッシュ１０を相手部材の圧接部３４に固定する。
【００２２】
このとき一対の圧接部３４は、防振ゴムブッシュ１０の内筒金具１８の軸方向の両端面を軸方向に挟み付けるようにその両端面に圧接され、内筒金具１８を強固に拘束した状態となる。
即ちこの締結装置３０による締結によって防振ゴムブッシュ１０における内筒金具１８が相手部材に組付固定される。
【００２３】
上記内筒金具１８の軸方向の両端面には、図１及び図３に示しているように周方向に連続した鋸歯状をなす多数の滑止め用の突起４６を有するセレーション部４８が設けられており、締結装置３０による締結時にこれらセレーション部４８の各突起４６が一対の圧接部３４のそれぞれに食い込んで、締結装置３０による締結の際若しくはその後において内筒金具１８が圧接部３４に対して相対滑りするのを防止する。
【００２４】
本実施形態においてはまた、これら多数の突起４６と４６との間の谷部４９と圧接部３４との間の隙間にシールゴム５０が充填してあり、そのシールゴム５０にて隙間が閉鎖されている。
そしてそのシールゴム５０によって隙間が水密にシールされている。
ここで隙間を埋めたシールゴム５０は、内筒金具１８の軸方向の各端面に対し加硫接着により一体に固着されている。
【００２５】
図２（Ａ）の部分拡大図に示しているように、このシールゴム５０は内筒金具１８の軸方向の端部外周面を包み込む被覆部（この例では厚みが０．１５ｍｍ）５２を介して本体ゴム２０と繋がっており、それらが一体に成形されて内筒金具１８に対し加硫接着されている。
【００２６】
ここで被覆部５２は、本体ゴム２０を加硫成形する際にゴム材料を本体ゴム２０の成形キャビティからセレーション部４８における谷部４９に回し込むための通路によって形成されたものである。
【００２７】
以上のように本実施形態では、防振ゴムブッシュ１０における内筒金具１８の軸方向の端面にセレーション部４８を設けて多数の突起４６を圧接部３４に食い込ませるようになしていることから、内筒金具１８の圧接部３４に対する相対滑り、ひいては防振ゴムブッシュ１０の相手部材に対する相対滑りを良好に防止することができる。
【００２８】
またセレーション部４８を設けることによって生じた隙間にシールゴム５０が充填されて隙間が水密にシールしてあることから、その隙間を通じて水が内筒金具１８の内部に浸入するのを良好に防止することができる。
従って内筒金具１８の内部に浸入した水によって内部で錆付きが発生し、これにより内筒金具１８と締結装置３０の軸体３２とが固着してしまう問題も良好に解決することができる。
【００２９】
またシールゴム５０は内筒金具１８に対し一体に加硫接着されて、内筒金具１８に強固に固定保持されるため、使用中にシールゴム５０が内筒金具１８から脱落して水の浸入を許すといったことを確実に防止することができる。
【００３０】
本実施形態ではまた、このシールゴム５０と内筒金具１８の外周面の本体ゴム２０とを一体に成形しているため、シールゴム５０を本体ゴム２０と別体とした場合に比べて防振ゴムブッシュ１０の製造工程を簡略化することができる。
【００３１】
以上本発明の実施形態を詳述したがこれはあくまで一例示である。
例えば上記実施形態の防振ゴムブッシュ１０は外筒金具１６の外周面において圧入部２１に圧入されて組み付けられる形態のものであるが、本発明は本体ゴムの外周面において直接圧入部２１その他の圧入部に圧入されて組み付けられる形態の防振ゴムブッシュに適用することも可能である。
【００３２】
また上例ではセレーション部４８にて滑止め用の突起４６を内筒金具１８の軸方向の端面に形成しているが、場合によって滑止め用の突起４６を周方向に９０°ごと或いは４５°ごとその他の適宜の間隔で複数設けるといったことも可能であるなど、本発明はその趣旨を逸脱しない範囲において種々変更を加えた形態で構成可能である。
【図面の簡単な説明】
【００３３】
【図１】本発明の一実施形態の防振ゴムブッシュを相手部材への組付状態で示す図である。
【図２】同実施形態の防振ゴムブッシュを組付前の状態で示す一部切欠断面図である。
【図３】同実施形態の防振ゴムブッシュの斜視図である。
【図４】従来の防振ゴムブッシュの一例を示す図である。
【符号の説明】
【００３４】
１０  防振ゴムブッシュ
１８  内筒金具
２０  本体ゴム
３０  締結装置
３２  軸体
３４  圧接部
４６  突起
４８  セレーション部
４９  谷部
５０  シールゴム
【図１】
2005337473.tif 000003
【図２】
2005337473.tif 000004
【図３】
2005337473.tif 000005
【図４】
2005337473.tif 000006